(57)【特許請求の範囲】
【請求項１】
内筒と外筒により構成される真空二重容器と、内筒内の内容液を加熱するヒータと、内容液を外部に案内する吐出路と、この吐出路を通じて内容液を吐出させる吐出ポンプと、真空二重容器の開口を閉じる蓋と、この蓋に設けられ蒸気を外部に放出する蒸気通路とを備え、
蒸気通路は真空二重容器内に開口する蒸気入口部から蓋の中央部を上方に立ち上がり、この蒸気通路の上部に蓋の周辺側に変位した位置で蓋上面に開口する流出口を有し、蓋内の上段部に前記蒸気通路の前記流出口を除く上部を覆う断熱材を設け、蓋内の中段部と下段部とに前記蒸気通路の外回りに位置する環状の断熱材を設け、下段部の断熱材は真空二重容器の開口内に入り込むようにしたことを特徴とする真空二重容器を持った電気貯湯容器。
【発明の詳細な説明】
【０００１】
【発明の属する技術分野】
本発明は真空二重容器を持った電気貯湯容器に関するものであり、例えば家庭用の電気ポットなどに適用される。
【０００２】
【従来の技術】
いま、省資源、省エネルギーが各分野で要求されてきている。四六時中使用し続けられることが多い家庭用電気機器でも同様である。通電負荷の大きなヒータを用いている電気ポットなどでは急務になってきている。そこで、金属製の真空二重容器を利用した電気ポットも実現している。これによって、ヒータで加熱し貯湯している内容液の熱は外部に逃げにくくなり、省エネルギーが図れる。
【０００３】
【発明が解決しようとする課題】
しかし、真空二重容器を採用しても、これの開口、および真空二重容器を収容した外装ケースとが形成する器体の開口を、それらがなす複雑な形状に対応しながら蒸気漏れなどなく閉じる必要がある上、真空二重容器の内筒内で加熱され湯沸かしや保温される内容液から発生する蒸気を外部に放出して内圧が異常昇温するようなことを防止する必要がある。これらを満足するのに上記の開口を閉じる蓋は、構造の複雑なものにならざるを得ないので、合成樹脂や一部金属よりなる二重ないしはそれを上回る多重構造の蓋を構成されているが、真空二重容器で断熱性が向上するのに対し、蓋部の断熱性は低く上方へ熱を逃がしやすい熱損失部分であり大きな問題になりつつある。
【０００４】
本発明の目的は、蓋部での断熱性が高く省エネ性により優れた真空二重容器を持った電気貯湯容器を提供することにある。
【０００５】
【課題を解決するための手段】
上記の目的を達成するために、本発明の真空二重容器を持った電気貯湯容器は、内筒と外筒により構成される真空二重容器と、内筒内の内容液を加熱するヒータと、内容液を外部に案内する吐出路と、この吐出路を通じて内容液を吐出させる吐出ポンプと、真空二重容器の開口を閉じる蓋と、この蓋に設けられ蒸気を外部に放出する蒸気通路とを備え、蒸気通路は真空二重容器内に開口する蒸気入口部から蓋の中央部を上方に立ち上がり、この蒸気通路の上部に蓋の周辺側に変位した位置で蓋上面に開口する流出口を有し、蓋内の上段部に前記蒸気通路の前記流出口を除く上部を覆う断熱材を設け、蓋内の中段部と下段部とに前記蒸気通路の外回りに位置する環状の断熱材を設け、下段部の断熱材は真空二重容器の開口内に入り込むようにしたことを特徴としている。
【０００６】
このような構成では、真空二重容器の内筒内の内容液をヒータで加熱して湯沸かしや保温をし貯湯するのに、真空二重容器およびそれが形成する器体の開口部を閉じる蓋に設けた蒸気通路によって蒸気を外部に逃がす構造でありながら、真空二重容器まわりではその内筒と外筒との間の真空断熱空間によって熱が外部に逃げるのをよく防止されるのに併せ、そのような断熱効果のない前記開口部では、前記蒸気通路と合わせ、前記蓋内の上段部に前記蒸気通路の前記流出口を除く上部を覆う断熱材、中段部、下段部に前記蒸気通路の外回りに位置する環状の断熱材を設けることで、真空二重容器およびそれが形成する器体の開口部を上回るほぼ全体を覆って断熱効果が格段に高いものとして上部に熱が逃げるのを抑制するので、電気貯湯容器全体の熱効率が向上し従来に増して省エネ化が図れる。しかも、断熱材は外部から視認されないので蓋の通常形態を損なうことはないし、断熱層が設けられることによりその材質などの種々な面で衛生上の問題を生じることはない。
【０００７】
【発明の実施の形態】
以下、本発明の実施の形態について幾つかの参考例とともに図１〜図２３を参照しながら説明し、本発明の理解に供する。
【０００８】
図１１、図１２に示す本発明の実施の形態は、図１、図４の参考例で示すような内筒１と外筒２により構成される真空二重容器３と、内筒１内の内容液を加熱するヒータ４と、内容液を外部に案内する吐出路５と、この吐出路５を通じて内容液を吐出させる吐出ポンプ１４と、真空二重容器３の開口７を閉じる二重ないしはそれを上回る多重の蓋８と、この蓋８の二重ないしは多重の内部を通じて内筒１内で発生する蒸気を外部に放出する蒸気通路９とを備えた真空二重容器３を持った電気貯湯容器であり、家庭用の電気ポットに適用した場合の一例である。
【０００９】
しかし、本発明は図示するものに限られることはなく、真空二重容器３の真空構造、真空二重容器３の真空断熱空間１１の形態とヒータ４による加熱との関係構造、吐出構造、蓋構造など種々な具体的構造を採用することができる。例えば、ヒータ４は真空二重容器３内に挿入して内容液を加熱してもよいし、真空二重容器３の底部などに形成した一重構造部、ないしは真空断熱空間１１を形成しない部分を介し外部から加熱してもよいし、真空二重容器３の内筒１に繋いだ外部加熱部にて内容液を加熱するようにもできる。外部加熱部は加熱による自然対流、あるいは膨張や発生蒸気による昇圧、逆止弁などを利用した内容液の押し出しとこれに伴う内容液の吸込み、あるいは電動ポンプによる循環などにて、内筒１内の内容液が外部加熱部を繰り返し通るように循環されればよい。
【００１０】
上記のような電気ポットは、真空二重容器３の内筒１内の内容液をヒータ４で加熱して湯沸かしや保温をし貯湯するのに、真空二重容器３まわりではその内筒１と外筒２との間の真空断熱空間１１によって熱が外部に逃げるのを良く防止される。これに併せ、そのような断熱効果のない真空二重容器３の開口７の部分では、この開口７を閉じる２重ないしはそれを上回る多重の蓋８内各部の面または／および中空層の適所を利用して前記蒸気通路９を塞がない図１〜図３に示す参考例１、図４、図５に示す参考例２、図９に示す参考例５、図１０に示す参考例６に示すような断熱層２１を前記参考例２のように二重に、または多重に設ける。これにより、内筒１内の加熱され貯湯される内容液の熱が真空二重容器３の開口７から上部へ逃げようとするのを蒸気放出に支障なく蓋８の前記断熱層２１が抑制する。従って、電気ポット器全体の熱効率が向上し従来に増して省エネ化が図れる。しかも、断熱層２１は蓋８内にあって外部から視認されないので蓋８の通常形態を損なうことはないし、断熱層２１が設けられることによりその材質などの種々な面で衛生上の問題を生じることはない。
【００１１】
断熱層２１は閉じ空間であると、空気の対流や逃げによる熱の移動を抑制するので断熱性を発揮できる。閉じ空間はステンレス鋼や合成樹脂など熱伝導性の低い材料により形成した真空二重空間であると、特に高い断熱効果を発揮するので、大きなかさを取らずに大きな断熱効果が得られる。もっとも、断熱層２１は発泡樹脂、発泡ゴムなどの発泡材、その他の一般の断熱部材よりなるものでよく、特別な材料は特に必要でない。しかし、蓋８内に設けられて上記のような断熱効果を発揮するものであれば、他の知られたもの、あるいはこれから開発され提供されるもの全てを利用することができる。
【００１２】
また、断熱層２１は上記において特に、蓋８の内部の蒸気通路９以外の部分に設けるようにすることもできる。このように、二重ないしはそれを上回る多重な蓋８の蒸気通路９が設けられる以外の部分を利用して、従って、蒸気通路９を通じた蒸気の放出の邪魔をすることなく断熱構造を付与することができ、真空二重容器３の開口７から蓋８を通じ外部に熱が逃げるのを最小限に抑えて、省エネを図ることができる。蒸気通路９が蓋８の一部のほぼ縦方向領域に設けられ、そのまわりに断熱層２１が環状に設けられれば、蒸気通路９は蓋８の一部に集約配置することでそのスペース占有率を小さくし、その分だけ断熱層２１を多く設けられるようにすることができ、より省エネ効果の高いものとすることができる。
【００１３】
また、蒸気通路９が蓋８内の二重ないしは多重の層にて、他の層に設けられた断熱層２１と少なくとも外部への蒸気出口９ａ部で上下に重なって設けられるようにすることもできる。このようにすると、蒸気通路９の外部に直接通じる蒸気出口９ａ部に、真空二重容器３の内筒１内の熱が直接熱伝導して到達するのを断熱層２１が邪魔をするので、蒸気通路９で熱効率が低下するのを軽減し、省エネ効果を向上することができる。
【００１４】
断熱層２１が蓋８内の二重ないしは多重の層にて互いに上下に重なった部分を有して設けられていると、蒸気通路９など他の種々な必要構造を避けた配置で自由度高く設けられながら、全体では真空二重容器３内の熱が蓋８を通じて外部に逃げるのを防止しやすくすることができ、省エネ効果を高めることができる。
【００１５】
さらに、蓋８の内部の蒸気通路９以外の部分の空間の二重ないしは多重の層を利用して、その一層以上の層に断熱層２１を設け、この断熱層２１が平面から透視して見たときの真空二重容器３の開口に対する覆い率が８０％以上に及んで設けるようにもする。このように、蓋８の二重ないしは多重の層を利用して、その一層以上の層に断熱層２１を設けて、真空二重容器３の開口７に対する覆い率が８０％以上に及ぶことにより、真空二重容器３内の熱が蓋８を通じて外部に逃げるのをほぼ全域を断熱層２１で覆った場合にほぼ近い断熱効果が得られ、高い省エネ効果を発揮することができる。
【００１６】
上記の各場合において、断熱層２１が真空二重容器３の開口７内に入り込んで位置していると、真空二重容器３の真空断熱空間１１での断熱領域と、蓋８の断熱層２１による断熱領域とが、真空二重容器３の開口７部に入り込み、互いの断熱領域によって内筒１内の貯湯域をほぼ切れ目なく包み込めるので、全体の断熱効果が各段に向上する。
【００１７】
なお、断熱層２１は内側へ熱を反射させる熱反射層を含むものでもよい。この断熱層２１をなす熱反射層は、シート材や板材のインサート成形、貼着、溶射、メッキ、塗布、鏡面仕上げの少なくともいずれか１つによって形成されればよく、熱反射面を構成する層ないしは面があればよく、スペースを特に取らないので、２重ないしはそれを上回る多重の層を利用して、蓋８内部のどの箇所にも設けられるし、上記各場合の断熱構造と複合して用いやすく、より高い断熱効果を得るのに好適である。
【００１８】
また、蒸気通路９に、所定の蒸気圧に負けない間蒸気通路９を常閉する図１９の参考例１３で示すような蒸気弁６８を設けると、蒸気通路９を通じた外部への熱の逃げを蒸気弁６８が閉じている間抑えることができ、断熱効果がさらに向上しより省エネを図ることができる。
【００１９】
ここで、図に示す各参考例および実施の形態について詳述する。図１〜図４に示す参考例１では、真空二重容器３は図１に示すように合成樹脂製の外装ケース１２に収容されて電気貯湯容器の器体１３を構成している。しかし、真空二重容器３の胴部が外部に露出して器体１３を構成してもよい。いずれにしても、真空二重容器３の内筒１内の内容液はヒータ４により外部から加熱されて貯湯され、吐出ポンプ１４により吐出路５を通じ外部に吐出されて使用される。吐出路５の真空二重容器３の胴部の外側を立ち上がる立上がり部に透明または半透明の材料で形成されたパイプよりなる液量表示部５ａを有し、これが器体１３の透明板を嵌め合わせるなどした液量表示窓５７を通じて外部から視認されるようにしている。
【００２０】
真空二重容器３はその開口７の外縁に、この真空二重容器３を構成する内外筒１、２で外鍔３ｄを形成し、この外鍔３ｄを器体１３の肩部１６の上向きの段部１７上に、この段部１７に続く立上がり壁１８に対向して配置してある。外装ケース１２は合成樹脂製で底と胴とが一体に形成されている。しかし、金属製でもよく胴が金属製である場合は、構造や形状が複雑になりがちな底は合成樹脂製にするのが好適である。外装ケース１２が底、胴とも合成樹脂製であっても、成形や全体の組み立てなどとの関係から必要に応じて分割されてもよい。真空二重容器３の内外筒１、２はともに熱伝導性の低い金属であるステンレス鋼板製で、断熱性の確保に好適であるが、特にこれに限られることはなく、場合によっては他の金属材料を用いることもできる。真空二重容器３を構成している内外筒１、２は耐圧性の上で金属製であるのが好適である。しかし、内部に支持スペーサを設けるなどすれば合成樹脂など他の材料のものでも使用することができる。これによると断熱性がさらに向上する。
【００２１】
内筒１は底を持った容器形状をしているが、外筒２は筒形状であって下端部が内側へ折り曲げて内筒１の底に外側から当てがいろう接などして真空漏れがないように一体化している。これによってできる真空二重容器３の一重の底部３ｃの外側にヒータ４を当てがって内容液を効率よく加熱し、湯沸しや保温ができるようにしている。真空二重容器３の外鍔３ｄは、内外筒１、２の各外鍔を重ねた外周部どうしを溶接接合している。これにより、内外筒１、２の前記溶接接合による一体化を、内外筒１、２の外鍔どうしの合わせ目での外まわりからのＴＩＧ溶接などで容易に達成することができる。
【００２２】
この内外筒１、２の外鍔どうしが重なった状態での溶接接合を行うために、外筒２は外鍔の内周から真っ直ぐ下に延びるストレートな胴部分を持ったものとし、内筒１は外筒２の開口部内周に密に嵌まり合う口部３ｂを持つとともに、これに続く内側にやや絞って形成した開口７を介して、外筒２の胴部に近い径まで拡張した胴部を持ち、外筒２との間に真空断熱空間１１をなす閉空間を形成するようにしている。開口７が小さいほど、真空二重容器３内から蓋８を通じて上方に向かう熱の逃げを防止するのに真空断熱空間１１の働きが増大する。
【００２３】
器体１３の肩部１６は、形状や構造が複雑なことから合成樹脂製の独立した肩部材としてある。肩部材１６は外装ケース１２の上端に上方から嵌め合わせ、肩部材６の内周を形成している立上がり壁の下部にある上向き段部１７上に真空二重容器３の前記外鍔３ｄを載置して支持し、真空二重容器３の底部と外装ケース１２の底との間を図示しない金具とねじとにより連結して、外装ケース１２、肩部材１６、および真空二重容器３を一体に結合し器体１３を構成している。
【００２４】
器体１３の肩部材６が形成する開口１１８には前記の蓋８が設けられ、この開口１１８を真空二重容器３の開口７とともに開閉するようにしてある。この開閉のために蓋８は肩部材１６の後部に設けられた軸受部１９に、ヒンジピン２２によって着脱できるように枢支されている。蓋８の着脱は、ヒンジピン２２を中心にした回動により開閉する動作において、蓋８が器体１３の開口７との嵌まり合い位置から外れた開き位置でヒンジピン２２を、軸受部１９に対し、その内向きのスリットを通じて嵌め入れたり引き出したりして行える。
【００２５】
蓋８の内筒１内からの蒸気を外部に逃がす蒸気通路９は、蓋８の上面に前記蒸気出口９ａが形成され、下面に内筒１から蓋８への蒸気入口９ｂが形成されている。蒸気通路９の途中には、器体１３が横転して内容液が進入してきた場合にそれを一時溜め込み、あるいは迂回させて、蒸気出口９ａに至るのを遅らせる安全経路９ｃを設けてある。これにより、器体１３が横転して内容液が蒸気通路９を通じて外部に流出するまでに器体１３を起こすなどの処置ができるようになる。
【００２６】
また、蒸気通路９には器体１３の横転時に、蒸気通路９に進入しようとし、あるいは進入した内容液が先に進むのを阻止するように自重などで働く転倒時止水弁２３が適所に設けられている。図示する参考例１では蒸気入口９ｂの直ぐ内側の一か所に設けてある。
【００２７】
蓋８の前部には閉じ位置で肩部材１６側の係止部２４に係合して蓋８を閉じ位置にロックするロック部材２５が設けられ、蓋８が閉じられたときに係止部２４に自動的に係合するようにばね２６の付勢によってロック位置に常時突出するようにしている。これに対応して蓋８にはロック部材２５を後退操作して前記ロックを解除するロック解除部材２７が設けられている。ロック解除部材２７は図２に示すように軸２９によって蓋８に枢支されたレバータイプのものとされ、前端を親指などで押し下げて反時計回りに回動させることでロック部材２５をばね２６に抗して後退させてロックを解除し、続いてロック解除操作で起き上がったロック解除部材２７の後端を他の指で持ち上げることによりロックを解除された蓋８を持ち上げこれを開くことができる。
【００２８】
吐出ポンプ１４は電動の遠心ポンプであって真空二重容器３の直ぐ下の位置に設けられ、真空二重容器３内から流れ込む内容液を吐出路５を通じて器体１３外に臨む吐出口５ｄに向け送りだし、吐出口５ｄから外部に吐出させ使用に供する。吐出ポンプ１４は真空二重容器３内に空気を送り込んで内容液を加圧し、吐出路５を通じて押出吐出させるようにも設けられる。また、いずれの吐出方式でも手動ポンプに置き換えることができる。
【００２９】
外装ケース１２の底と真空二重容器３の底部との間の空間には、前記吐出ポンプ１４とともに、ヒータ４や吐出ポンプ１４を通電制御する制御基板２９を収容する回路ボックス３２が設置されている。図示する実施例では回路ボックス３２は外装ケース１２の底の開口部に一体形成して設けてあるが、底と別体に形成してねじ止めなどして設けてもよい。また、回路ボックス３２は下向きに開口しているがこれを閉じる蓋を設けることもできる。真空二重容器３の一重底部３ｃの中央には温度センサ３３が下方から当てがわれ、内容液のその時々の温度を検出して、湯沸しや保温モードで内容液を加熱制御する場合の温度情報を得る。
【００３０】
器体１３の肩部材１６の前部に突出する嘴状突出部３４の上面には操作パネル３５が設けられ、モード設定などの操作部や、操作に対応する表示、あるいは動作状態を示す表示を行うようにしてある。操作パネル３５の下には前記操作および表示に対応する信号の授受および動作を行う操作基板３６が設けられている。
【００３１】
吐出路５は真空二重容器３と外装ケース１２の間を立上がって後、器体１３の嘴状突出部３４と外装ケース１２側のパイプカバー部３７との間に入った部分で逆Ｕ字状のユニット５ｃを構成し、このユニット５ｃの吐出路５の立上がり部と繋がる部分に転倒時止水弁３８および傾き止水弁３９、および前記吐出口５ｄを設けている。吐出口５ｄはパイプカバー部３７の底部開口およびこの開口に下方から後付けした吐出口カバー４１を通じて外部に下向きに開口している。
【００３２】
外装ケース１２の底にある開口には下方から蓋板４２を当てがってねじ止めや部分的な係合により取付け、蓋板４２の外周部には回転座環４３が回転できるように支持して設けられ、器体１３がテーブル面などに定置されたときに回転座環４３の上で軽く回転して向きを変えられるようにしてある。
【００３３】
蓋８は図２に示すように、樹脂製の上板５１と下板５２とで中空に形成した上蓋５３と、この上蓋５３の下面に当てがいねじ５４でねじ止めなどしたステンレス鋼などの金属製の内蓋５５とで基本構造が形成され、内蓋５５の外周に嵌め着けて上蓋５３との間に挟み込まれたシールパッキング５６のシールリップ５６ａが真空二重容器３の開口７の口縁上面に圧接して開口７を密に閉じるようにしてある。これによって、内筒１による開口７と内蓋５５との間を通じて、蒸気や熱が外部に逃げるのを防止することができ、断熱効果を高める。
【００３４】
蒸気通路９は、上板５１、下板５２、および下板５２の凹部に下方から嵌め付け、および内蓋５５と下板５２との間に挟み付けた２枚の補助板５８、５９によって上下に多重な迷路に構成している。このため、蒸気通路９の蒸気入口９ｂから蒸気出口９ａまでの距離はかなり長く、また、途中を大きな液溜まりにした安全経路９ｃを形成することができていて、器体１３が転倒して内容液が蒸気通路９を通じて外部に流出しようとするときの、内容液が流出に至るまでの時間を十分に長くとれるようになる。
【００３５】
また、このような安全経路９ｃを含め部分的には５重構造をなし、上板５１および下板５２がなす最上部の中空層内に断熱材６１を内蔵することにより前記断熱層２１を形成している。この参考例１では蓋８の上記多重構造を利用して断熱層２１が蒸気通路９の蒸気出口９ａの部分を除く他の部分と異なった層にて互いに上下に重なって設けられることにより、断熱材６１は蒸気通路９の蒸気出口９ａの部分、ロック部材２５およびロック解除部材２７の設置領域を避けさえすれば設けられる構造となり、断熱層２１は真空二重容器３の開口７のほぼ９０％の範囲を蓋８内で覆うことができる。しかし、８０％の範囲を覆えれば１００％覆った場合にぼほ匹敵する断熱効果が得られる。
【００３６】
蒸気通路９を形成するのに蒸気出口９ａと重なる層部分がないように配慮すると、蒸気出口９ａと重なる他の層に断熱材を設けることにより、蒸気出口９ａが位置する部分の縦方向の一部に断熱材が存在して熱が上方へ断熱材なしに逃げるようなことを防止することができる。もっとも、蓋８の合成樹脂による多重構造そのものも、途中の空気層を入れて一種の断熱構造ではある。また、ロック部材２５やロック解除部材２７の設置領域に重なって在る他の中空層を利用して断熱部材を設ければ、この設置域でも断熱材なしに熱が上方へ逃げるのを防止することができる。
【００３７】
図４〜図６に示す参考例２は、真空二重容器３の外鍔３ｄが、内筒１のストレートな胴の上端に設けた鍔と外筒２のストレートな胴の上端に設けた鍔とを上下に重ねて接続したものとしてあり、真空断熱空間１１が外鍔３ｄの部分にまで及んでいるので、真空二重容器３の開口７まわりでの断熱効果が高まる。しかも、蓋８の多重構造は参考例１の場合とほぼ同様であるが、参考例１と同様に配した断熱材６１に加え、下板５２の直ぐ上の蒸気通路９を形成しているまわりの環状領域にも断熱材６２を設けて、断熱層２１を多重に形成している。
【００３８】
断熱材６２は断熱材６１と重なる領域での熱の上方への逃げを２重に防止して第１の実施例の場合よりも断熱効果を高めるし、断熱材６１と重ならない領域では参考例１の場合よりも断熱層２１による熱の上方への逃げを防止する領域を拡大する。従って、参考例１の場合に比し断熱性が大きく向上する。しかも、環状の断熱材６２は、真空二重容器３の真空断熱空間１１を形成している領域にまで、内蓋５５および下板５２とともに若干入り込むように設けられているので、真空二重容器３の真空断熱空間１１での断熱領域と、蓋８の断熱層２１による断熱領域とによって内筒１内の貯湯域を切れ目なくほぼ包み込めるので、全体の断熱効果が各段に向上する。また、これによって、内筒１はストレートな胴として開口７を第１の実施例のように小さく絞る構成をとらなくても十分な断熱効果を発揮することができ、開口７を大きくしてよい分だけ洗浄などの際の作業や取り扱いが容易になる。
【００３９】
なお、ロック解除部材２７の後端部には安全蓋７１が設けられている。安全蓋７１は軸７２で後端部が回動できるように支持され、先端部がばね７３の付勢によってロック解除部材２７の後端部に下方から当接されている。安全蓋７１は、ロック解除部材２７が蓋８のロックを解除する操作をされて後端部が上動するのに追随し、安全蓋７１を押し下げてしか、ロック解除部材２７の上動した後端部に指を掛けられないので、この後端部を指で引き上げるのに安全蓋７１を先ず押し下げると云う動作が必ず要るので、これが後端部が不用意に引き上げられる誤操作、あるいはいたずら操作を防止し、使用の安全を図ることができる。
【００４０】
他の構成および奏する作用は参考例１の場合と特に変わるところはないので、同じ部材には同じ符号を付して示し重複する図示および説明は省略する。
【００４１】
図７に示す参考例３は、参考例２の環状の断熱材６２を周方向に３等分した同一形状の分割体６２ａとし、部品の小型化と共通化による生産性の向上とコストの低減を図っている。分割体６２ａはロック部材２５およびロック解除部材２７などとの重なりのために厚みを薄くした薄肉部６２ａ１を、層でない厚肉部６２ａ２の両端部に一体に形成されたものとしている。しかし、形状は蓋８の構造による断熱材を設置できる空間の形状や大きさに合わせて種々に設定すればよい。
【００４２】
図８に示す参考例４は、環状の断熱材６２を配置するのに、破線で示すようにそのままの形状を断熱シート材６２ｂから裁断して生地取りするのでは、２つしか取れない。それを実線で示すように４等分した分割体６２ａとして生地取りすることによって、同じ大きさの断熱シート材６２ｂから３つ分の環状の断熱材６２を生地取りできるようにしている。この意味では、参考例３の分割体６２ａの場合もこれに近い利点を発揮する。
【００４３】
図９、図１０に示す参考例５、６は、ブロー成形した中空断熱材７５を蓋８内に内蔵して断熱層２１を形成している。このような中空断熱材７５は空気を狭い空間に閉じ込めることにより、空気が自由に移動することによる熱の移動を防止して真空二重容器３内の熱が蓋８を通して上方に逃げるのを抑制し断熱を図る。図示例のように中空断熱材７５が形成する密閉空間７５ａが薄いと内部での空気の対流自体もよく防止されて断熱効果はさらに高くなる。中空断熱材７５は極く薄いものでも柔軟な樹脂材料で成形して、破損などしないで、しかも他への馴染み度を高めて取り扱えるので、蓋８内の形状が複雑で狭い空間に収容するのに好適であり、図９、図１０の参考例５、６のようにロック部材２５とロック解除部材２７との間の隙間にも配置でき、蒸気通路９の流出口９ａを除いた他の部分全域を覆うことができ、高い断熱効果を発揮する。
【００４４】
特に、図９の参考例５では２つの中空断熱材７５に分割して収容しているが、図１０の参考例６では前記柔軟性およびフィット性を活かして全体を１つの中空断熱材７５にして収容しており、成形および組立の手間が簡略化するのでさらにコストの低減が図れる。
【００４５】
図１１、図１２に示す本発明の実施の形態は、参考例１、２を参照して説明した電気ポットの基本構成を有した上で、蒸気通路９を蓋８のほぼ中央に集中配置して、多重構造により必要長さの迂回経路にして器体転倒時の安全を図りながら、その回りの全域に環状の断熱材６２を２段に配して断熱するとともに、蓋８内の最上の部分に今１つの断熱材６１を収容して蒸気通路９の流出口９ａ部を除くほぼ全域の上部を覆って断熱するようにしてある。また、２段の断熱材６２はそれぞれ流出口９ａと上下に重なって断熱するし、平面より透視して示すと図１２のように各断熱材６１、６２、６２は真空二重容器３の開口７および１１８の全域を越えて器体１３の上端のほぼ全域に至る範囲の全体を覆っているので、蒸気通路９やその流出部９ａを含むどの部分においても断熱材なしに真空二重容器内の熱が蓋８の上方へ抜けるのを防止することができる。しかも、これら断熱材６１、６２、６２は、真空二重容器３の真空断熱空間１１、および内筒１の開口７を小さく絞って形成している内側への拡張真空断熱空間１１ａを含めて、器体１３の上端のほぼ全域に至る範囲のほぼ全体を多重に覆っているのと、最下段の断熱材６２は樹脂製や金属製の内蓋５５とともに、内筒１の開口７内に深く入り込む構造としてあることにより、真空二重容器３の上端部での断熱効果が格段に高いものになっている。
【００４６】
図１３に示す参考例７は、蓋８内の蒸気通路９の構造を１枚の補助板５９だけを利用した簡単なものにして、蓋８を第１、第２の実施例の５重構造よりも簡略化した４重構造に構成してある。これにより蓋８を特に大きくすることなく蒸気通路９の上の流出口９ａまわりの内部空間が最上位置に大きく取れるようになり、ここに厚く広範囲に亘る断熱材６１を１つ収容するだけで、十分な断熱効果が得られるようにしてある。
【００４７】
図１４に示す参考例８は、参考例７とほぼ同様な多重構造の蓋８において、蒸気通路９を一か所に集中形成して多重構造で必要な長さの経路を確保しておいて、蒸気通路９まわりの蓋８内の中空領域をさらに拡大してより広範囲に断熱材６１、６２を収容できるようにして、断熱効果の向上を図っている。本実施例では特に断熱材６１は各部に分割してあり、蓋８の形状やロック部材２５の配置などに対応しやすくしている。
【００４８】
図１５に示す参考例９は、蓋８の内蓋５５と内筒１の開口７との間をシールするシールパッキング５６に中空のシールリップ５６ｂを設けることにより、内蓋５５および内筒１の開口７との間から外部へ熱が逃げるのを防止しやすくし、その分断熱効果が向上するようにしている。従って、他の実施例のものに複合して用いて特に有効である。
【００４９】
図１６に示す参考例１０は、蓋８の上板５１の内側にステンレス鋼などの金属製で真空二重構造にした真空断熱材６６を嵌め付けて上蓋５３を形成し、真空断熱材６６と金属製の内蓋５５との間に樹脂製の補助板５８、５９を配して蒸気通路９を形成している。真空断熱材６６は金属製で剛性が高いものであることにより、上板５１や内蓋５５などとの結合力が十分であるので、結合構造が単純化し、蓋８がかさ低くなる。同時に真空断熱材６６の蓋８でのスペース占有率を高め高い断熱効果を発揮できる。
【００５０】
図１７の参考例１１は、金属製の真空断熱材６６の剛性が高いのを利用して蓋８の枠状に形成した上板５１に嵌め合わせて、それ自体の一部が蓋８の外面、一例として上面の大半を形成する簡略構造としてある。これによって外観も他の実施例に比し特異なものとなる。しかし、金属製の真空断熱材６６はどのような範囲にどのようにもうけてもよく、各種断熱層と多重に形成することもできる。
【００５１】
要するに、金属製の真空断熱部材６６は剛性が高く蓋８の外面を形成して、金属外面を一部に持った特異な外観の蓋構造が実現するし、断熱性が高くかつ蓋８内のデッドスペースを埋める広さにもうけることで、これ一重の断熱層でも高い断熱性を発揮でき、電気貯湯容器の保温性が向上する。
【００５２】
図１８、図１９に示す参考例１２、１３は、蒸気通路９に、所定の蒸気圧に負けない間蒸気通路９を常閉する蒸気弁６７、６８を設けてある。これにより蒸気通路９を通じた外部への熱の逃げを蒸気弁６７、６８が閉じている間抑えることができ、断熱効果がさらに向上しより省エネを図ることができる。
【００５３】
参考例１２の蒸気弁６７は自重で閉じる例えばボール弁であるのに対し、参考例１３の蒸気弁６８は軸７４で回動できるように支持さればね６９により閉じ側に付勢されたバタフライ弁としてある。
【００５４】
図２０に示す参考例１４は、蓋８の内蓋５５の上面に断熱層１７５を積層して形成している。断熱層１７５はＡｌ2 Ｏ3 を溶射したものであるが、ステンレス鋼製の内蓋５５の上面をブラスト処理して荒らした後に溶射を行い、さらに封孔処理している。これにより好適な断熱効果が専用スペースがほとんど要らないで得られる。従って、他の断熱構造を複合して用いやすい。
【００５５】
図２１に示す参考例１５は、蓋８の下板５２の上面にＡｌ層７６を蒸着メッキし、上方へ逃げようとする熱を金属製二重容器３の側に反射させて断熱するようにしてある。これも、スペースを取らないので他の断熱構造と複合して用いやすい。
【００５６】
図２２に示す参考例１６は、器体１３の肩部材１６を、真空二重容器３の外鍔３ｄを直接受ける合成樹脂製の肩受け７７と、これと器体１３とを繋ぐ外側部材７８とに分割してねじ７９などで連結し、真空二重容器３を伝う熱が肩受け７７を介することによって外部に逃げにくくしてある。従って、肩受け７７は熱伝導性の低い材料を選択するのが好適である。
【００５７】
図２３に示す参考例１７は、肩部材１６の外周部を蓋８の上板５１で覆うことによって、真空二重容器３、肩部材１６を通じて熱が外部へ逃げようとするのを抑制し断熱効果が得られるようにしている。
【００５８】
【発明の効果】
本発明の真空二重容器を持った電気貯湯容器の主たる特徴によれば、真空二重容器の内筒内の内容液をヒータで加熱して湯沸かしや保温をし貯湯するのに、真空二重容器およびそれが形成する器体の開口部を閉じる蓋に設けた蒸気通路によって蒸気を外部に逃がす構造でありながら、真空二重容器まわりではその内筒と外筒との間の真空断熱空間によって熱が外部に逃げるのをよく防止されるのに併せ、そのような断熱効果のない前記開口部では、前記蒸気通路と合わせ、前記蓋内の上段部に前記蒸気通路の前記流出口を除く上部を覆う断熱材、中段部、下段部に前記蒸気通路の外回りに位置する環状の断熱材を設けることで、真空二重容器およびそれが形成する器体の開口部を上回るほぼ全体を覆って断熱効果が格段に高いものとして上部に熱が逃げるのを抑制するので、電気貯湯容器全体の熱効率が向上し従来に増して省エネ化が図れる。しかも、断熱層は外部から視認されないので蓋の通常形態を損なうことはないし、断熱層が設けられることによりその材質などの種々な面で衛生上の問題を生じることはない。
【図面の簡単な説明】
【図１】本発明の実施の形態の電気ポットの参考例１を示す断面図である。
【図２】図１の電気ポットの蓋部の断面図である。
【図３】図１の電気ポットの正面図である。
【図４】参考例２の電気ポットを示す断面図である。
【図５】図４の電気ポットの蓋の断面図である。
【図６】図４の電気ポットの上面図である。
【図７】参考例３の電気ポットの上面図である。
【図８】参考例４の断熱材の材料取りを示す平面図である。
【図９】参考例５の電気ポットの蓋部の断面図である。
【図１０】参考例６の電気ポットの蓋部の断面図である。
【図１１】本発明の実施の形態の電気ポットの蓋部を示す断面図である。
【図１２】図１１の電気ポットの蓋部の平面図である。
【図１３】参考例７の電気ポットの蓋部の断面図である。
【図１４】参考例８の電気ポットの蓋部の断面図である。
【図１５】参考例９の電気ポットの蓋部の一部断面図である。
【図１６】参考例１０を示す電気ポットの蓋部の断面図である。
【図１７】参考例１１を示す電気ポットの蓋部の断面図である。
【図１８】参考例１２を示す電気ポットの蓋部の断面図である。
【図１９】参考例１３を示す電気ポットの蓋部の断面図である。
【図２０】参考例１４を示す電気ポットの蓋部の断面図である。
【図２１】参考例１５を示す電気ポットの蓋部の断面図である。
【図２２】参考例１６を示す電気ポットの蓋部の断面図である。
【図２３】参考例１７を示す電気ポットの蓋部の断面図である。
【符号の説明】
１  内筒
２  外筒
３  真空二重容器
４  ヒータ
５  吐出路
１１８  開口
８  蓋
９  蒸気通路
１１  真空断熱空間
１３  器体
１４  吐出ポンプ
２１、１７５  断熱層
６１、６２  断熱材
【図１】
0003574586.tif 000002
【図２】
0003574586.tif 000003
【図３】
0003574586.tif 000004
【図４】
0003574586.tif 000005
【図５】
0003574586.tif 000006
【図６】
0003574586.tif 000007
【図７】
0003574586.tif 000008
【図８】
0003574586.tif 000009
【図９】
0003574586.tif 000010
【図１０】
0003574586.tif 000011
【図１１】
0003574586.tif 000012
【図１２】
0003574586.tif 000013
【図１３】
0003574586.tif 000014
【図１４】
0003574586.tif 000015
【図１５】
0003574586.tif 000016
【図１６】
0003574586.tif 000017
【図１７】
0003574586.tif 000018
【図１８】
0003574586.tif 000019
【図１９】
0003574586.tif 000020
【図２０】
0003574586.tif 000021
【図２１】
0003574586.tif 000022
【図２２】
0003574586.tif 000023
【図２３】
0003574586.tif 000024